(57)【特許請求の範囲】
【請求項１】
少なくとも設置手段と裁置部を有し、当該裁置部を設置手段によって中空に向かって突出させた構成であり、前記裁置部を、網の周囲を支持枠で固定して棚状にしたものであるか、合成樹脂の板に穴を開けて網状の棚状にしたものである石鹸置き。
【請求項２】
前記設置手段と、前記網状体による前記裁置部および支持腕によって構成され、前記設置手段から前記支持腕を中空に向かって突出させ、前記支持腕の先に前記裁置部を棚状に設けた請求項１に記載した石鹸置き。
【請求項３】
前記設置手段と前記裁置部の間に取り付け角度調節部を設けて、設置面に角度の違いがあっても前記裁置部をほぼ水平に設置可能とした請求項１と２のいずれかに記載した石鹸置き。
【発明の詳細な説明】
【０００１】
【発明の属する技術分野】
本発明は、使用して濡れた固形石鹸の乾きが速く、石鹸がとけてできた汚れ液が付着したり近辺を汚したりしない、衛生的で使い勝手の良い石鹸置きに関するものである。
【０００２】
【従来の技術】
従来、浴場あるいは洗面所等で使用する石鹸置きは箱形であったり、洗面台に直接設けられた凹状体などであり、水はけには一応の配慮がなされていても、乾きやすくするための通気性への配慮が足らないものであった。水はけについても石鹸置きの底に設けられた簀の子状体等と固形石鹸との間に水分を挟み込んでしまうため、乾きが遅く石鹸が溶けだして、石鹸置きの底や周辺に付着して不衛生になり易いものであった。
【０００３】
そこで、特開平１１−９４８７のごとく保持具の先端に取り付けた磁石と、石鹸に取り付けた金属板が磁石の作用により、石鹸を吸着保持できるようにし、中空に張り出した保持具に石鹸を張りつけて中空に浮かすことにより、水切れや乾燥を早めようとする出願がなされている。この出願では石鹸に金属片を食い込ませて使用するため金属片が露出して手に当たり、使い心地が悪い。終盤において石鹸が薄片化した場合に金属片をねじ込んだ部分から折れやすく、最後まで使用することが難しく不経済と言える。あらかじめ石鹸内部に金属片を埋め込んでおくことも可能であるが製造コストが上がることや磁石による支持体が普及していないことを考えると非現実的といえる。
【０００４】
実開昭６１−１９３８９のごとく、石鹸に保持部をねじ込んだり、予め石鹸に保持部材を埋め込んでおき、石鹸を中空に吊り下げて水切れや乾燥を早めようとする出願がある。保持部材をねじ込んだものでは手触り等に問題があり、使いやすいものとは言い難い。保持部材が予め埋め込んだ柔軟な紐等であった場合、使用の終盤になって、残り少ない石鹸が紐に張りついて吊り下げられた様は見た目に頼りなく見苦しい。
【０００５】
石鹸内部に保持部材を埋設するので無く、網袋を使用して水切れを良くし乾燥を早めようとする出願が古くから数多くなされている。実開昭６２−１８５５８９のごとく、網袋に石鹸を入れ、石鹸を袋ごと手などに塗りつけて使用するのであれば手触りが悪い。網を使用した石鹸入れは網袋の中に石鹸を入れて、使用時にも石鹸を外に出すことなくそのまま使えるということを特徴としている。網袋を利用した石鹸入れは使用の後半になって石鹸が小さくなると網の糸と糸が近づき水を保持しやすくなる。その結果、石鹸は更に溶けやすく、不経済であると共に不衛生となりやすい。
【０００６】
特開平１０−１３７１５２のごとく、伸縮性の網袋を使用することによって、常に網袋を石鹸に食い込ませておけば問題はかなり解決できるが、伸縮の範囲を無限にすることは出来ず、使用の終盤に置いては前期と同様のことが起こる。見る人の感性にもよるが、網袋に残り少ない石鹸が入れられ、中空に下げられた様は見た目に頼りなく見苦しい。
【０００７】
網袋を使用する限り、石鹸を出し入れして使用することには無理がある。特開平７−３２７８６２のごとく網状シートの周囲を、軟質状の支え枠で支持したものがあるが、使用に当たり支え枠が手に当たり使い心地が悪い。網状体は水切れをよくし、石鹸を乾燥させるためには最適であり、袋状を呈しない網を使った石鹸置きが望まれる。
【０００８】
【発明が解決しようとする課題】
本発明は、使用して濡れた固形石鹸の乾きが速く、石鹸の溶けた汚れ液が付着したり周辺を汚したりしない衛生的で使い勝手がよく、見た目にもスマートな石鹸置きを提供すること。
【０００９】
【課題を解決するための手段】
少なくとも設置手段と裁置部を有し、当該裁置部を設置手段によって中空に向かって突出させた構成であり、前記裁置部を、網の周囲を支持枠で固定して棚状にしたものであるか、合成樹脂の板に穴を開けて網状の棚状にしたものである石鹸置きを供する。
【００１０】
前記設置手段と、前記網状体による前記裁置部および支持腕によって構成され、前記設置手段から前記支持腕を中空に向かって突出させ、前記支持腕の先に前記裁置部を棚状に設けた石鹸置きを供する。
【００１１】
前記設置手段と前記裁置部の間に取り付け角度調節部を設けて、設置面に角度の違いがあっても前記裁置部をほぼ水平に設置可能とした石鹸置きを供する。
【００１２】
【発明の実施の形態】
発明の実施の形態について図を用いて説明する。  図１は実施例１の斜視図であり、設置手段１と網状体による裁置部２によって構成され、設置手段１によって裁置部２を棚状に中空に向かって突出させて設置した石鹸置きである。設置手段１は壁に掛けるための板状体であって、これを釘等に掛けるための穴である掛止部５Ａを有する。設置手段１は裁置部２を棚状に支持するためのものであり、針金等によって壁等に裁置部２を掛止出来るものであれば、これに置き換えることが可能である。
【００１３】
裁置部２は網６の周囲を支持枠７で支持し、棚状にしたものである。網には僅かなたるみを持たせて固定する。このたるみと網に於ける糸と糸の交差点あるいは結び目が突起物として石鹸を受け止め、無造作に石鹸を置いても滑り落ちることがない。また、下方に突起する糸の結び目が水を誘導して下方に導くため、水切れが早い。石鹸にとっては空中に浮かんでいるのに等しい環境となり、乾きが早い。又、使用することにより溶けだした石鹸液はシャワー等の水がかかるだけで自然に流れ去り、特別な配慮無しに清潔な状態が保てる。網６と支持枠７による裁置部２は合成樹脂等の板に穴を多数開けて出来る網状体に置き換えることが出来る。
【００１４】
図２は実施例２の斜視図であり、設置手段１と網状体による裁置部２および支持腕３によって構成され、設置手段１から支持腕３を中空に向かって突出させ、支持腕３の先に裁置部２を棚状に設けた石鹸置きである。設置手段１は針金状であって掛止部５Ｂと吸盤８を有する。裁置部２は合成樹脂の板に多数の穴を開けて網状体とし、中央部が僅かにへこんだ形状とする。網状体は出来る限り細く形成して水切れと通気性をよくすることが望ましい。
【００１５】
図３は実施例３の斜視図であり、設置手段１と裁置部２の間に取り付け角度調節部４を設けて設置面に角度の違いがあっても裁置部２をほぼ水平に設置可能とした請求項１と２に記載した石鹸置きである。取り付け角度調節部４は裁置部２を構成する支持枠７の下部に設けたところの、突起物による角度固定部９を有する板であって、支持腕３が取り付け角度調節部４を挟み込んで角度固定部９を掛止して設置角度を維持する。角度固定部９は支持腕３の先端を嵌合するための管あるいは溝を角度を変えて複数並べた板状体等に置き換えることが可能である。
【００１６】
図４は取り付け角度調節部４の別例を示す斜視図である。裁置部２を構成する支持枠７の下部に支持腕３との嵌合部１０Ａと嵌合部１０Ａ’を設け、支持腕３の先端を嵌合部１０Ｂと嵌合部１０Ｂ’とする。図４（Ａ）は設置面が水平であって支持腕３が垂直となり、嵌合部１０Ａと１０Ｂ及び嵌合部１０Ａ’と１０Ｂ’が嵌合する。図４（Ｂ）は設置面が垂直であって支持腕３が水平となる。設置手段１の向きを前後入れ替えることにより、嵌合部１０Ａと１０Ｂ’及び嵌合部１０Ａ’と１０Ｂを嵌合させる。このことによって裁置部２を水平にする嵌合部１０を取り付け角度調節部４とする石鹸置きである。
【００１７】
図５は図４に於ける取り付け角度調節部４の拡大図である。図５（Ａ）は設置面が水平であり支持腕３が垂直であって嵌合部１０Ａと嵌合部１０Ｂが嵌合する。図５（Ｂ）は設置面が垂直であり支持腕３が水平であって嵌合部１０Ａ’と嵌合部１０Ｂが嵌合する。図に於ける角αは図５（Ａ）、図５（Ｂ）ともにすべて４５度である。
【００１８】
【発明の効果】
本願発明は少なくとも設置手段と裁置部を有し、当該裁置部を設置手段によって中空に向かって突出させた構成であり、前記裁置部を、網の周囲を支持枠で固定して棚状にしたものであるか、合成樹脂の板に穴を開けて網状の棚状にしたものである石鹸置きであるため次に記載する効果を奏する。
【００１９】
網のたるみ及び糸と糸の結び目が石鹸を受け止め、無造作に石鹸を置いても滑り落ちることがない。また、下方に突起する糸の結び目が水を誘導して下方に導くため、水切れが早い。石鹸にとって空中に浮かんでいるのに等しい環境となり、乾きが早い。又、使用することにより溶けだした石鹸液はシャワー等の水がかかるだけで自然に流れ去り、特別な配慮無しに清潔な状態が保てる。
【００２０】
前記設置手段と、前記網状体による前記裁置部および支持腕によって構成され、前記設置手段から前記支持腕を中空に向かって突出させ、前記支持腕の先に前記裁置部を棚状に設けた石鹸置きであるため次に記載する効果を奏する。
【００２１】
設置面である壁あるいは床面等から裁置部を離して設置でき、通気性をより望ましい状体に保つことが出来る。
【００２２】
前記設置手段と前記裁置部の間に取り付け角度調節部を設けて、設置面に角度の違いがあっても前記裁置部をほぼ水平に設置可能とした石鹸置きであるため次に記載する効果を奏する。
【００２３】
設置面に角度の違いがあっても裁置部をほぼ水平に設置することが可能であるため、浴場の壁面や棚状の段差部への取り付け、あるいは洗面台等に於ける斜面への設置が可能となる。
【図面の簡単な説明】
【図１】実施例１の斜視図である。
【図２】実施例２の斜視図である。
【図３】実施例３の斜視図である。
【図４】取り付け角度調節部４の別例を示す斜視図である。
【図５】図４に於ける取り付け角度調節部４の拡大図である。
【符号の説明】
１  設置手段
２  裁置部
３  支持腕
４  取り付け角度調節部
５  掛止部
５Ａ  掛止部Ａ
５Ｂ  掛止部Ｂ
６  網
７  支持枠
８  吸盤
９  角度固定部
１０  嵌合部
１０Ａ  嵌合部Ａ
１０Ａ’  嵌合部Ａ’
１０Ｂ  嵌合部Ｂ
１０Ｂ’  嵌合部Ｂ’
【図１】
0003622911.tif 000002
【図２】
0003622911.tif 000003
【図３】
0003622911.tif 000004
【図４】
0003622911.tif 000005
【図５】
0003622911.tif 000006